(57)【要約】【課題】広角ながらＦナンバーが明るく、かつ小型で収差も良好に補正された撮像光学系及び撮影装置を提供すること。【解決手段】撮像光学系１０は、物体側から順に、負の屈折力を有する第１レンズＬ１、負の屈折力を有する第２レンズＬ２、負の屈折力を有する第３レンズＬ３、正の屈折力を有する第４レンズＬ４、開口絞りＡＳ、正の屈折力を有する第５レンズＬ５、正の屈折力を有する第６レンズＬ６、負の屈折力を有する第７レンズＬ７、及び正の屈折力を有する第８レンズＬ８から実質的になり、第７レンズＬ７は、両凹であり、第８レンズＬ８は、両凸であり、かつ、条件式（１）を満足する。【選択図】図１
2018081240.tif 000002
【特許請求の範囲】
【請求項１】
物体側から順に、負の屈折力を有する第１レンズ、負の屈折力を有する第２レンズ、負の屈折力を有する第３レンズ、正の屈折力を有する第４レンズ、開口絞り、正の屈折力を有する第５レンズ、正の屈折力を有する第６レンズ、負の屈折力を有する第７レンズ、及び正の屈折力を有する第８レンズの８枚のレンズから実質的になり、
前記第７レンズは、両凹であり、
前記第８レンズは、両凸であり、かつ、
以下の条件式（１）を満足する撮像光学系。
１＜ｄ４ａ／ｆ＜２．４    …    （１）
ｄ４ａ：前記第４レンズの像側面の頂点から開口絞りの中心までの距離
ｆ：全系の焦点距離
【請求項２】
前記第３レンズは、物体側で凹形状を有することを特徴とする請求項１に記載の撮像光学系。
【請求項３】
以下の条件式（２）を満足することを特徴とする請求項１及び２のいずれか一項に記載の撮像光学系。
０＜ｄ４ａ／ＴＴＬ＜０．１５    …    （２）
ＴＴＬ：前記第１レンズの物体側面の頂点から撮像面までの距離
【請求項４】
前記第２レンズは、非球面を有することを特徴とする請求項１〜３のいずれか一項に記載の撮像光学系。
【請求項５】
前記第６レンズは、両凸であることを特徴とする請求項１〜４のいずれか一項に記載の撮像光学系。
【請求項６】
請求項１〜５のいずれか一項に記載の撮像光学系を備えることを特徴とする撮像装置。
【発明の詳細な説明】
【技術分野】
【０００１】
本発明は、広角の撮像光学系及び撮像装置に関するものであり、より詳細には、半画角が９０°近辺又はそれ以上である超広角の撮像光学系等に関する。
【背景技術】
【０００２】
近年のデジタルカメラには、高速で移動する撮影者が身に付けて周囲の景色すべてを動画で撮影したり、その場の雰囲気すべてを写真に残したりしたいといった用途やニーズに応えることができる性能が要求されている。そのような要求に応えるため、撮像光学系の性能として、広角かつＦナンバー（Ｆｎｏ）の明るいことが求められている。
【０００３】
広角でありＦナンバーの明るい撮像光学系として、特開２００９−１２８６５４号公報（特許文献１）に記載の光学系があるが、光学系のサイズが大きくなる点が課題であった。また、特開２０１０−８５８４９号公報（特許文献２）に記載の光学系は、広角でＦナンバーが明るいだけでなく、比較的小型であるが、球面収差、コマ収差等の影響で光学性能が不十分であった。
【先行技術文献】
【特許文献】
【０００４】
【特許文献１】特開２００９−１２８６５４号公報
【特許文献２】特開２０１０−８５８４９号公報
【発明の概要】
【０００５】
本発明は、上記背景技術に鑑みてなされたものであり、広角ながらＦナンバーが明るく、かつ小型で収差も良好に補正された撮像光学系及び撮像装置を提供することを目的とする。
【０００６】
上記目的を達成するため、本発明に係る撮像光学系は、物体側から順に、負の屈折力を有する第１レンズ、負の屈折力を有する第２レンズ、負の屈折力を有する第３レンズ、正の屈折力を有する第４レンズ、開口絞り、正の屈折力を有する第５レンズ、正の屈折力を有する第６レンズ、負の屈折力を有する第７レンズ、及び正の屈折力を有する第８レンズの８枚のレンズから実質的になり、第７レンズは、両凹であり、第８レンズは、両凸であり、かつ、以下の条件式（１）を満足する。
１＜ｄ４ａ／ｆ＜２．４    …    （１）
ｄ４ａ：第４レンズの像側面の頂点から開口絞りの中心までの距離
ｆ：全系の焦点距離
【０００７】
上記撮像光学系では、開口絞りよりも前の前群において第１〜第３レンズとして負レンズを用いることで、広角レンズに求められる広い画角の光線を収差の発生と誤差感度の増大とを抑えながら開口絞りよりも後の後群に導くことができる。また、前群の第４レンズとして正レンズを配置することで、光線を束ねる役割の前群内で収差補正も行うことができる。開口絞りよりも後の後群は、良好な収差補正が見込めるトリプレット配置を基本形とし、開口絞り直後に配置する屈折力又はパワーを２つの正レンズに分けることでより微細な収差補正が可能となる。さらに、全系としてレトロフォーカス配置とすることで、光学系最終玉と撮像素子との間に空間を確保でき、撮像素子前へのフィルター配置が行いやすくなる。ここで、第７レンズを両凹面とすることで、これらの面に負の屈折力を分配し良好な収差補正を行うことができる。加えて、第７レンズの像面側を凹面にすることで周辺光線を第８レンズの光軸から離れた位置に導くことができるため、第８レンズでの良好な歪曲収差補正に寄与する。第８レンズは、物体側を凸面にすることで周辺光が光軸からより離れた位置で第８レンズに入射するため、周辺光量の確保がしやすくなり、かつ像高ごとに光線が分かれることから良好な歪曲収差補正の機能を果たす。また、第８レンズの像側を凸面とすることでフィルター反射に起因するゴースト光を分散させてその影響を低減できる。
【０００８】
さらに、条件式（１）の上限を上回らないようにすることで、光学系が大型化することを防止できる。一方、条件式（１）の下限を下回らないようにすることで、前群から後群へと導く光路が短くなることを回避できるため、前群の屈折力又はパワーを過度に強くする必要がなく光学性能の劣化を抑制できる。条件式（１）の値ｄ４ａ／ｆについては、より好ましくは、下記条件式（１）'の範囲とする。
１．３＜ｄ４ａ／ｆ＜２    …    （１）'
【０００９】
本発明の具体的な側面によれば、上記撮像光学系において、第３レンズは、物体側で凹形状を有する。各画角の光線束が光軸に近づきまとまってきた第３レンズの位置で物体側面を凹形状とすることで像側面の凹の曲率が大きくなることを防止でき、正の第４レンズとの組み合わせで球面収差と色収差との補正を良好に行うことができる。
【００１０】
本発明の別の側面によれば、以下の条件式（２）を満足する。
０＜ｄ４ａ／ＴＴＬ＜０．１５    …    （２）
ＴＴＬ：第１レンズの物体側面の頂点から撮像面までの距離
【００１１】
条件式（２）の上限を上回らないようにすることで、光学系が大型化することを防止できる。
【００１２】
本発明のさらに別の側面によれば、第２レンズは、非球面を有する。広画角の光線をまとめて後群に導くにあたり、画角毎に通過位置が比較的大きく異なる第２レンズを非球面を有するものとすることで、各画角の光線を個別に微調整することが可能となり、歪曲収差等の諸収差の発生を抑えることができる。
【００１３】
本発明のさらに別の側面によれば、第６レンズは、両凸である。第６レンズについては、物体側を凸面とし像側も凸面とすることで、正のパワー又は屈折力を配分することになり、収差発生を抑えるとともに誤差感度の低減を図ることができる。
【００１４】
上記目的を達成するため、本発明に係る撮像装置は、上述した撮像光学系を備える。
【００１５】
上述の撮像光学系を組み込むことにより、広角で、明るく、小型で、収差の少ない撮像装置を提供することができる。
【図面の簡単な説明】
【００１６】
【図１】本発明の一実施形態の撮像光学系を備える撮像装置を説明する図である。
【図２】実施例１の撮像光学系の断面図である。
【図３】（Ａ）及び（Ｂ）は、実施例１の縦収差図である。
【図４】（Ａ）〜（Ｄ）は、実施例１の横収差図である。
【図５】実施例２の撮像光学系の断面図である。
【図６】（Ａ）及び（Ｂ）は、実施例２の縦収差図である。
【図７】（Ａ）〜（Ｄ）は、実施例２の横収差図である。
【図８】実施例３の撮像光学系の断面図である。
【図９】（Ａ）及び（Ｂ）は、実施例３の縦収差図である。
【図１０】（Ａ）〜（Ｄ）は、実施例３の横収差図である。
【図１１】実施例４の撮像光学系の断面図である。
【図１２】（Ａ）及び（Ｂ）は、実施例４の縦収差図である。
【図１３】（Ａ）〜（Ｄ）は、実施例４の横収差図である。
【図１４】実施例５の撮像光学系の断面図である。
【図１５】（Ａ）及び（Ｂ）は、実施例５の縦収差図である。
【図１６】（Ａ）〜（Ｄ）は、実施例５の横収差図である。
【図１７】実施例６の撮像光学系の断面図である。
【図１８】（Ａ）及び（Ｂ）は、実施例６の縦収差図である。
【図１９】（Ａ）〜（Ｄ）は、実施例６の横収差図である。
【図２０】実施例７の撮像光学系の断面図である。
【図２１】（Ａ）及び（Ｂ）は、実施例７の縦収差図である。
【図２２】（Ａ）〜（Ｄ）は、実施例７の横収差図である。
【発明を実施するための形態】
【００１７】
図１は、本発明の一実施形態に係る撮像装置１００を説明する図である。撮像装置１００は、画像信号を形成するためのカメラモジュール３０と、カメラモジュール３０を動作させることにより撮像装置１００としての機能を発揮させる処理部６０とを備える。
【００１８】
カメラモジュール３０は、撮像光学系１０と、撮像光学系１０によって形成された被写体像を画像信号に変換するセンサー部５０と、これらを収納するホルダー４１とを備える。カメラモジュール３０は、以下に詳述する撮像光学系１０を組み込んでおり、広角で、明るく、小型で、収差の少ない撮像装置１００を提供することができる。
【００１９】
撮像光学系１０は、後に詳述するが、開口絞りＡＳを挟んで、物体側に前群Ｇ１を有し、像側に後群Ｇ２を有する。前群Ｇ１は、第１〜第４レンズＬ１〜Ｌ４を含み、後群Ｇ２は、第５〜第８レンズＬ５〜Ｌ８を含む。
【００２０】
センサー部５０は、撮像光学系１０によって形成された被写体像を光電変換する固体撮像素子５１（例えば、ＣＭＯＳ型のイメージセンサー）と、この固体撮像素子５１を背後から支持するとともに配線、周辺回路等を設けた基板５３とを備える。
【００２１】
固体撮像素子（撮像素子）５１は、撮像面Ｉを有する光電変換部５１ａを備え、その周囲には、不図示の信号処理回路が形成されている。なお、固体撮像素子５１は、上述のＣＭＯＳ型のイメージセンサーに限るものでなく、ＣＣＤその他を適用したものであってもよい。
【００２２】
ホルダー４１は、樹脂、金属等で形成され、撮像光学系１０やセンサー部５０を内部に収納し保持している。ホルダー４１は、物体側からの光線束を入射させる開口ＯＰ１を有する。
【００２３】
処理部６０は、駆動部６１と、入力部６２と、記憶部６３と、表示部６４と、制御部６８とを備える。駆動部６１は、制御部６８からデジタル制御信号等の供給を受けることによって、固体撮像素子５１を動作させている。駆動部６１は、固体撮像素子５１から画像データとしてＹＵＶその他のデジタル画素信号を受け取って制御部６８に転送する。入力部６２は、ユーザーの操作或いは外部装置からのコマンドを受け付ける部分であり、記憶部６３は、撮像装置１００の動作に必要な情報、カメラモジュール３０によって取得した画像データ等を保管する部分であり、表示部６４は、ユーザーに提示すべき情報、撮影した画像等を表示する部分である。制御部６８は、駆動部６１、入力部６２、記憶部６３等の動作を統括的に制御しており、例えばカメラモジュール３０によって得た画像データに対して種々の画像処理を行うことができ、かかる画像データを外部回路へ出力することができる。
【００２４】
以下、図１を参照して、実施形態の撮像光学系１０の詳細について説明する。なお、図１で例示した撮像光学系１０は、後述する実施例１の撮像光学系１１と同一の構成となっている。
【００２５】
図示の撮像光学系１０は、固体撮像素子５１の撮像面Ｉに被写体像を結像させる超広角の撮像レンズであって、物体側から順に、負の屈折力を有する第１レンズＬ１、負の屈折力を有する第２レンズＬ２、負の屈折力を有する第３レンズＬ３、正の屈折力を有する第４レンズＬ４、開口絞りＡＳ、正の屈折力を有する第５レンズＬ５、正の屈折力を有する第６レンズＬ６、負の屈折力を有する第７レンズＬ７、及び正の屈折力を有する第８レンズＬ８の８枚のレンズからなり、第７レンズＬ７は、両凹であり、第８レンズＬ８は、両凸である。
【００２６】
上記撮像光学系１０では、開口絞りＡＳよりも前の前群Ｇ１において、第１〜第３レンズＬ１〜Ｌ３として負レンズを用いることで、広角レンズに求められる広い画角の光線を収差の発生と誤差感度（製造誤差に対しての影響の受けやすさ）の増大とを抑えながら開口絞りＡＳよりも後の後群Ｇ２に導くことができる。また、前群Ｇ１の第４レンズＬ４として正レンズを配置することで、光線を束ねる役割の前群Ｇ１内で収差補正も行うことができる。開口絞りＡＳよりも後の後群Ｇ２は、良好な収差補正が見込めるトリプレット配置を基本形とし、開口絞りＡＳ直後に配置する屈折力又はパワーを２つの正レンズに分けることでより微細な収差補正が可能となる。さらに、撮像光学系１０全系としてレトロフォーカス配置とすることで、光学系最終玉と固体撮像素子５１との間に空間を確保でき、固体撮像素子５１前へのフィルターその他の平行平板Ｆの配置が行いやすくなる。ここで、第７レンズＬ７を両凹面とすることで、これらの面に負の屈折力を分配し良好な収差補正を行うことができる。加えて、第７レンズＬ７の像面側を凹面にすることで周辺光線を第８レンズＬ８の光軸ＡＸから離れた位置に導くことができるため、第８レンズＬ８での良好な歪曲収差補正に寄与する。第８レンズＬ８は、物体側を凸面にすることで周辺光が光軸からより離れた位置で第８レンズＬ８に入射するため、周辺光量の確保がしやすくなり、かつ像高ごとに光線が分かれることから良好な歪曲収差補正の機能を果たす。また、第８レンズＬ８の像側を凸面とすることでフィルターその他の平行平板Ｆでの反射に起因するゴースト光を分散させてその影響を低減できる。
【００２７】
上記撮像光学系１０において、第３レンズＬ３は、物体側で凹形状を有する。各画角の光線束が光軸ＡＸに近づきまとまってきた第３レンズＬ３の位置でその物体側面を凹形状とすることで像側面の凹の曲率が大きくなることを防止でき、正の第４レンズＬ４との組み合わせで球面収差と色収差との補正を良好に行うことができる。
【００２８】
第２レンズＬ２は、物体側、像側、又は双方に非球面を有する。広画角の光線をまとめて後群に導くにあたり、画角毎に通過位置が比較的大きく異なる第２レンズＬ２を非球面を有するものとすることで、各画角の光線を個別に微調整することが可能となり、歪曲収差等の諸収差の発生を抑えることができる。
【００２９】
第６レンズＬ６は、両凸である。第６レンズＬ６については、物体側を凸面とし像側も凸面とすることで、正の屈折力又はパワーを両面に配分することになり、収差発生を抑えるとともに誤差感度の低減を図ることができる。
【００３０】
なお、撮像光学系１０とセンサー部５０との間には、平行平板Ｆを配置することができる。平行平板Ｆは、赤外線カットフィルター、波長選択フィルター、シールガラス等である。
【００３１】
撮像光学系１０は、以下の条件式（１）を満足する。
１＜ｄ４ａ／ｆ＜２．４    …    （１）
ただし、値ｄ４ａは第４レンズＬ４の像側面の頂点から開口絞りＡＳの中心までの距離を表し、値ｆは全系の焦点距離を表す。
【００３２】
上記条件式（１）の値ｄ４ａ／ｆが上限を上回らないようにすることで、撮像光学系１０が大型化することを防止できる。一方、条件式（１）の値ｄ４ａ／ｆが下限を下回らないようにすることで、前群Ｇ１から後群Ｇ２へと導く光路が短くなることを回避できるため、前群Ｇ１のパワー又は屈折力を過度に強くする必要がなく、光学性能の劣化を抑制できる。条件式（１）の値ｄ４ａ／ｆについては、より好ましくは、下記の範囲とする。
１．３＜ｄ４ａ／ｆ＜２    …    （１）'
【００３３】
撮像光学系１０は、以下の条件式（２）を満足する。
０＜ｄ４ａ／ＴＴＬ＜０．１５    …    （２）
ただし、値ＴＴＬは第１レンズＬ１の物体側面の頂点から撮像面Ｉまでの距離を表す。
【００３４】
条件式（２）の値ｄ４ａ／ＴＴＬが上限を上回らないようにすることで、撮像光学系１０が大型化することを防止できる。
【００３５】
〔実施例〕
以下、本発明に係る撮像光学系の実施例を示す。各実施例に使用する記号は下記の通りである。なお、長さに関するものの単位は、特に示さない場合ｍｍであり、角度の単位は、°（度）である。
Ｆｎｏ  ：Ｆ値
ＴＴＬ  ：光学全長（第１レンズ物体側面の頂点から撮像面までの距離）
ｆ      ：全系の焦点距離
ｗ      ：半画角
Ｒ      ：曲率半径
ｄ      ：軸上面間隔
ｎｄ    ：レンズ材料のｄ線に対する屈折率
νｄ    ：レンズ材料のアッベ数
【００３６】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【数１】
2018081240.tif 000003
ただし、
Ａｉ：ｉ次の非球面係数
Ｒ  ：曲率半径
Ｋ  ：円錐定数
【００３７】
〔実施例１〕
実施例１の撮像光学系の基本的な光学諸元値を以下に示す。
Ｆｎｏ＝２．０６
ＴＴＬ＝１８ｍｍ
ｆ＝１．３５７ｍｍ
ｗ＝９６°
【００３８】
実施例１のレンズ面のデータを以下の表１に示す。表１等において、面番号を「S_N」で表し、無限大を「infinity」で表している。面番号において、レンズ面を「L1S1」等で表し、開口絞りを「AS」で表し、平行平板の物体側面を「CGS1」で表し、平行平板の像側面を「CGS2」で表している。なお、レンズ面の表記において、前半の記号Ｌｎ（ｎ＝１〜５）は、第ｎレンズ（具体的には第１〜第８レンズ）であることを示し、後半の記号Ｓ１は、第ｎレンズの物体側面を指し、後半の記号Ｓ２は、第ｎレンズの像側面を示す。さらに、記号ＣＧは、平行平板であることを示す。軸上面間隔の値ｄは、その欄の面から左下欄の面まで距離を意味している。具体的には、例えば平行平板の像側面「CGS2」の右側の値ｄは、平行平板の像側面から撮像面Ｉ（又は結像面）までの軸上面間隔を示している。
〔表１〕
S-N       R         d         nd         νd
L1S1    11.434     1.359     2.00060    25.458
L1S2     4.013     1.952
L2S1*   15.634     0.500     1.72903    54.04
L2S2*    3.032     2.039
L3S1   -12.250     0.500     1.49700    81.61
L3S2     3.631     0.779
L4S1    10.380     0.936     2.00100    29.134
L4S2    -8.371     1.889
AS     infinity    0.300
L5S1    43.230     0.863     1.65830    57.29
L5S2    -4.606     0.100
L6S1     5.092     1.992     1.72916    54.67
L6S2    -3.357     0.010     1.51400    42.83
L7S1    -3.357     0.500     1.92286    20.88
L7S2     4.689     0.514
L8S1*    3.018     2.085     1.49710    81.56
L8S2*   -6.067     0.340
CGS1   infinity    0.612     1.51680    64.2
CGS2   infinity    0.729
【００３９】
実施例１のレンズ面の非球面係数を以下の表２に示す。なお、これ以降（表のレンズデータを含む）において、１０のべき乗数（例えば２．５×１０−０２）をｅ（例えば２．５ｅ−０２）を用いて表すものとする。
〔表２〕
面[L2S1]
R=15.634, K=0.000, A4=2.87677E-02, A6=-5.88854E-03, 
A8=6.30111E-04, A10=-4.10380E-05, A12=1.38035E-06, 
A14=-5.79914E-09, A16=-6.42832E-10
面[L2S2]
R=3.032, K=0.000, A4=3.81359E-02, A6=-2.93217E-03, 
A8=-1.94137E-04, A10=-3.65804E-04, A12=1.86342E-04, 
A14=-3.23536E-05, A16=1.99960E-06
面[L8S1]
R=3.018, K=-3.597, A4=8.27864E-03, A6=-2.91539E-04, 
A8=-7.25164E-06, A10=9.45028E-06, A12=-9.88391E-07, 
A14=-1.90445E-08, A16=8.70468E-09
面[L8S2]
R=-6.067, K=-31.169, A4=-6.13116E-03, A6=3.43753E-03, 
A8=-7.44922E-04, A10=1.05701E-04, A12=-7.91053E-06, 
A14=-1.09747E-07, A16=4.53763E-08
【００４０】
図２は、実施例１の撮像光学系１１の断面図である。撮像光学系１１は、物体側に凸で負メニスカスの第１レンズＬ１と、物体側に凸で負メニスカスの第２レンズＬ２と、両凹で負の第３レンズＬ３と、両凸で正の第４レンズＬ４と、両凸で正の第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００４１】
図３（Ａ）及び３（Ｂ）は、実施例１の撮像光学系１１の縦収差（球面収差、非点収差）を示し、図４（Ａ）〜４（Ｄ）は、実施例１の撮像光学系１１の横収差を示している。
【００４２】
〔実施例２〕
実施例２の撮像光学系の基本的な光学諸元値を以下に示す。
Ｆｎｏ＝２．０６
ＴＴＬ＝１８ｍｍ
ｆ＝１．３５７ｍｍ
ｗ＝９６°
【００４３】
実施例２のレンズ面のデータを以下の表３に示す。
〔表３〕
N-S       R         d         nd         νd
L1S1    11.004     1.224     2.00069    25.45
L1S2     4.137     2.033
L2S1*   17.585     0.500     1.72903    54.04
L2S2*    3.015     1.984
L3S1   -19.194     0.500     1.49700    81.6
L3S2     3.289     0.720
L4S1     9.529     0.873     2.00069    25.45
L4S2   -10.409     1.870
AS     infinity    0.300
L5S1    90.921     0.872     1.69680    55.45
L5S2    -4.362     0.100
L6S1     5.260     1.986     1.72916    54.67
L6S2    -3.426     0.010
L7S1    -3.426     0.500     1.92286    20.88
L7S2     5.287     0.535                
L8S1*    3.095     2.374     1.49710    81.55
L8S2*   -6.289     0.484
CGS1   infinity    0.612     1.51680    64.19
CGS2   infinity    0.524
【００４４】
実施例２のレンズ面の非球面係数を以下の表４に示す。
〔表４〕
面[L2S1]
R=17.585, K=0.000, A4=2.66213E-02, A6=-5.63318E-03, 
A8=6.45937E-04, A10=-4.28459E-05, A12=1.27407E-06, 
A14=8.26100E-09, A16=-9.90385E-10
面[L2S2]
R=3.015, K=0.000, A4=3.26126E-02, A6=-2.93705E-04, 
A8=-1.39038E-03, A10=-6.95081E-05, A12=1.79447E-04, 
A14-3.92653E-05, A16=2.75468E-06
面[L8S1]
R=3.095, K=-4.544, A4=1.10721E-02, A6=-1.06553E-03, 
A8=4.00679E-05, A10=1.15922E-05, A12=-1.68158E-06, 
A14=-9.90599E-08, A16=1.12037E-08
面[L8S2]
R=-6.289, K=-39.069, A4=-6.97798E-03, A6=3.83695E-03, 
A8=-8.68540E-04, A10=1.03504E-04, A12=-7.11423E-06, 
A14=-9.31158E-08, A16=2.96107E-08
【００４５】
図５は、実施例２の撮像光学系１２の断面図である。撮像光学系１２は、物体側に凸で負メニスカスの第１レンズＬ１と、物体側に凸で負メニスカスの第２レンズＬ２と、両凹で負の第３レンズＬ３と、両凸で正の第４レンズＬ４と、両凸で正の第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００４６】
図６（Ａ）及び６（Ｂ）は、実施例２の撮像光学系１２の縦収差（球面収差、非点収差）を示し、図７（Ａ）〜７（Ｄ）は、実施例２の撮像光学系１２の横収差を示している。
【００４７】
〔実施例３〕
実施例３の撮像光学系の基本的な光学諸元値を以下に示す。
Ｆｎｏ＝２．０６
ＴＴＬ＝１８ｍｍ
ｆ＝１．３５７ｍｍ
ｗ＝９６°
【００４８】
実施例３のレンズ面のデータを以下の表５に示す。
〔表５〕
S-N       R         d         nd         νd
L1S1    11.067     1.276     2.00069    25.45
L1S2     4.154     1.952
L2S1*   12.905     0.500     1.75501    51.15
L2S2*    2.942     2.045
L3S1   -18.253     0.500     1.49700    81.6
L3S2     3.319     0.729
L4S1     9.995     0.871     2.00069    25.45
L4S2   -10.197     1.904
AS     infinity    0.300
L5S1    45.655     0.887     1.69680    55.45
L5S2    -4.461     0.100
L6S1     5.280     1.998     1.72916    54.67
L6S2    -3.408     0.010
L7S1    -3.408     0.500     1.92286    20.88
L7S2     5.171     0.509
L8S1*    3.067     2.300     1.49710    81.55
L8S2*   -6.493     0.484
CGS1    infinity   0.612     1.51680    64.19
CGS2    infinity   0.524
【００４９】
実施例３のレンズ面の非球面係数を以下の表６に示す。
〔表６〕
面[L2S1]
R=12.905, K=0.000, A4=2.65827E-02, A6=-5.64375E-03, 
A8=6.43876E-04, A10=-4.27544E-05, A12=1.28759E-06, 
A14=7.06030E-09, A16=-9.62001E-10
面[L2S2]
R=2.942, K=0.000, A4=3.38907E-02, A6=-1.59846E-03, 
A8=-9.01125E-04, A10=-1.64840E-04, A12=1.78772E-04, 
A14=-3.64425E-05, A16=2.45782E-06
面[L8S1]
R=3.067, K=-4.550, A4=1.13375E-02, A6=-1.03346E-03, 
A8=3.47243E-05, A10=1.17247E-05, A12=-1.58107E-06, 
A14=-9.40671E-08, A16=9.80196E-09
面[L8S2]
R=-6.493, K=-41.343, A4=-7.30843E-03, A6=3.92979E-03, 
A8=-8.57942E-04, A10=1.02214E-04, A12=-7.31072E-06, 
A14=-9.49043E-08, A16=3.24623E-08
【００５０】
図８は、実施例３の撮像光学系１３の断面図である。撮像光学系１３は、物体側に凸で負メニスカスの第１レンズＬ１と、物体側に凸で負メニスカスの第２レンズＬ２と、両凹で負の第３レンズＬ３と、両凸で正の第４レンズＬ４と、両凸で正の第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００５１】
図９（Ａ）及び９（Ｂ）は、実施例３の撮像光学系１３の縦収差（球面収差、非点収差）を示し、図１０（Ａ）〜１０（Ｄ）は、実施例３の撮像光学系１３の横収差を示している。
【００５２】
〔実施例４〕
実施例４の撮像光学系の基本的な光学諸元値を以下に示す。
Ｆｎｏ＝２．０６
ＴＴＬ＝１８ｍｍ
ｆ＝１．３５７ｍｍ
ｗ＝９６°
【００５３】
実施例４のレンズ面のデータを以下の表７に示す。
〔表７〕
S-N       R         d         nd         νd
L1S1    11.211     1.333     2.00100    29.13
L1S2     4.183     1.943
L2S1*   13.157     0.500     1.75501    51.15
L2S2*    2.957     2.116
L3S1   -14.988     0.500     1.48749    70.44
L3S2     3.269     0.731
L4S1     9.322     0.907     2.00100    29.13
L4S2    -9.461     1.850
AS     infinity    0.300
L5S1  -150.926     0.841     1.65844    50.85
L5S2    -4.162     0.100
L6S1     5.095     1.997     1.72916    54.67
L6S2    -3.405     0.010
L7S1    -3.405     0.500     1.92286    20.88
L7S2     5.389     0.487
L8S1*    3.063     2.267     1.49710    81.55
L8S2*   -6.641     0.484
CGS1   infinity    0.612     1.51680    64.19
CGS2   infinity    0.524
【００５４】
実施例４のレンズ面の非球面係数を以下の表８に示す。
〔表８〕
面[L2S1]
R=13.157, K=0.000, A4=2.73537E-02, A6=-5.68837E-03, 
A8=6.41786E-04, A10=-4.26283E-05, A12=1.29829E-06, 
A14=6.01779E-09, A16=-9.28516E-10
面[L2S2]
R=2.957, K=0.000, A4=3.51245E-02, A6=-1.67736E-03, 
A8=-8.21753E-04, A10=-1.90018E-04, A12=1.80543E-04, 
A14=-3.62148E-05, A16=2.41203E-06
面[L8S1]
R=3.063, K=-4.475, A4=1.11753E-02, A6=-9.83632E-04, 
A8=3.12100E-05, A10=1.14341E-05, A12=-1.54797E-06, 
A14=-9.02200E-08, A16=9.43844E-09
面[L8S2]
R=-6.641, K=-44.724, A4=-7.68838E-03, A6=3.97604E-03, 
A8=-8.51281E-04, A10=1.01581E-04, A12=-7.41900E-06, 
A14=-9.66235E-08, A16=3.39254E-08
【００５５】
図１１は、実施例４の撮像光学系１４の断面図である。撮像光学系１４は、物体側に凸で負メニスカスの第１レンズＬ１と、物体側に凸で負メニスカスの第２レンズＬ２と、両凹で負の第３レンズＬ３と、両凸で正の第４レンズＬ４と、像側に凸で正メニスカスの第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００５６】
図１２（Ａ）及び１２（Ｂ）は、実施例４の撮像光学系１４の縦収差（球面収差、非点収差）を示し、図１３（Ａ）〜１３（Ｄ）は、実施例４の撮像光学系１４の横収差を示している。
【００５７】
〔実施例５〕
実施例５の撮像光学系の基本的な光学諸元値を以下に示す。
Ｆｎｏ＝２．０６
ＴＴＬ＝１８ｍｍ
ｆ＝１．３５７ｍｍ
ｗ＝９６°
【００５８】
実施例５のレンズ面のデータを以下の表９に示す。
〔表９〕
S-N       R         d         nd         νd
L1S1    10.631     1.000     2.00060    25.45
L1S2     4.016     2.098
L2S1*   28.198     0.500     1.75501    51.15
L2S2*    2.839     2.062
L3S1    -9.037     0.500     1.49700    81.6
L3S2     5.558     0.424
L4S1     8.242     0.927     2.00060    25.45
L4S2   -12.817     2.100
AS     infinity    0.300
L5S1    13.618     0.925     1.63854    55.44
L5S2    -5.709     0.100
L6S1     4.697     2.054     1.72916    54.67
L6S2    -3.807     0.010
L7S1    -3.807     0.500     1.92286    20.88
L7S2     4.585     0.540
L8S1*    3.019     2.185     1.49710    81.55
L8S2*   -6.081     0.561
CGS1   infinity    0.612     1.51680    64.19
CGS2   infinity    0.601
【００５９】
実施例５のレンズ面の非球面係数を以下の表１０に示す。
〔表１０〕
面[L2S1]
R=28.198, K=0.000, A4=2.63318E-02, A6=-5.63208E-03, 
A8=6.45041E-04, A10=-4.26537E-05, A12=1.29303E-06, 
A14=6.67132E-09, A16=-9.93763E-10
面[L2S2]
R=2.839, K=0.000, A4=3.26976E-02, A6=-5.84915E-04, 
A8=-1.10644E-03, A10=-1.50520E-04, A12=1.78814E-04, 
A14=-3.64750E-05, A16=2.54507E-06
面[L8S1]
R=3.019, K=-4.559, A4=1.09072E-02, A6=-1.12182E-03, 
A8=3.66409E-05, A10=1.13613E-05, A12=-1.63348E-06, 
A14=-9.48000E-08, A16=1.04623E-08
面[L8S2]
R=-6.081, K=-35.469, A4=-7.37239E-03, A6=3.83475E-03, 
A8=-8.59738E-04, A10=1.02686E-04, A12=-7.24163E-06, 
A14=-8.77184E-08, A16=3.31767E-08
【００６０】
図１４は、実施例５の撮像光学系１５の断面図である。撮像光学系１５は、物体側に凸で負メニスカスの第１レンズＬ１と、物体側に凸で負メニスカスの第２レンズＬ２と、両凹で負の第３レンズＬ３と、両凸で正の第４レンズＬ４と、両凸で正の第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００６１】
図１５（Ａ）及び１５（Ｂ）は、実施例５の撮像光学系１５の縦収差図（球面収差、非点収差）を示し、図１６（Ａ）〜１６（Ｄ）は、実施例５の撮像光学系１５の横収差図を示している。
【００６２】
〔実施例６〕
実施例６の撮像光学系の基本的な光学諸元値を以下に示す。
Ｆｎｏ＝２．０６
ＴＴＬ＝１８ｍｍ
ｆ＝１．３５７ｍｍ
ｗ＝９６°
【００６３】
実施例６のレンズ面のデータを以下の表１１に示す。
〔表１１〕
S-N       R         d         nd         νd
L1S1    10.849     1.000     2.00060    25.45
L1S2     4.020     2.075
L2S1*   30.310     0.541     1.75501    51.15
L2S2*    2.840     2.249
L3S1    -5.569     0.500     1.49700    81.6
L3S2    14.199     0.226
L4S1     9.935     0.939     2.00060    25.45
L4S2   -10.886     2.254
AS     infinity    0.300
L5S1     9.058     0.891     1.63854    55.44
L5S2    -7.500     0.100
L6S1     4.528     1.974     1.72916    54.67
L6S2    -3.880     0.010
L7S1    -3.880     0.500     1.92286    20.88
L7S2     4.531     0.601
L8S1*    2.942     2.148     1.49710    81.55
L8S2*   -6.340     0.520
CGS1   infinity    0.612     1.51680    64.19
CGS2   infinity    0.560
【００６４】
実施例６のレンズ面の非球面係数を以下の表１２に示す。
〔表１２〕
面[L2S1]
R=30.310, K=0.000, A4=2.67164E-02, A6=-5.62396E-03, 
A8=6.44328E-04, A10=-4.27419E-05, A12=1.28928E-06, 
A14=6.99414E-09, A16=-9.82788E-10
面[L2S2]
R=2.840, K=0.000, A4=3.36501E-02, A6=-6.96006E-04, 
A8=-1.12272E-03, A10=-1.44873E-04, A12=1.80981E-04, 
A14=-3.62818E-05, A16=2.41778E-06
面[L8S1]
R=2.942, K=-4.225, A4=1.03640E-02, A6=-1.06952E-03, 
A8=4.12963E-05, A10=1.10564E-05, A12=-1.69608E-06, 
A14=-9.92553E-08, A16=1.04307E-08
面[L8S2]
R=-6.340, K-41.883, A4=-6.92949E-03, A6=3.86556E-03, 
A8=-8.57850E-04, A10=1.02738E-04, A12=-7.24966E-06, 
A14=-8.96410E-08, A16=3.28890E-08
【００６５】
図１７は、実施例６の撮像光学系１６の断面図である。撮像光学系１６は、物体側に凸で負メニスカスの第１レンズＬ１と、物体側に凸で負メニスカスの第２レンズＬ２と、両凹で負の第３レンズＬ３と、両凸で正の第４レンズＬ４と、両凸で正の第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００６６】
図１８（Ａ）及び１８（Ｂ）は、実施例６の撮像光学系１６の縦収差（球面収差、非点収差）を示し、図１９（Ａ）〜１９（Ｄ）は、実施例６の撮像光学系１６の横収差を示している。
【００６７】
〔実施例７〕
実施例７の撮像光学系の基本的な光学諸元値を以下に示す。
Ｆｎｏ＝２．０６
ＴＴＬ＝１８ｍｍ
ｆ＝１．３５５ｍｍ
ｗ＝９６°
【００６８】
実施例７のレンズ面のデータを以下の表１３に示す。
〔表１３〕
S-N       R         d         nd         νd
L1S1    11.577     1.000     2.00060    25.45
L1S2     4.138     2.090
L2S1*   42.786     0.500     1.75501    51.15
L2S2*    3.017     2.455
L3S1    -5.811     0.500     1.49700    81.6
L3S2   -15.019     0.053
L4S1    36.122     0.829     2.00270    19.31
L4S2    -9.936     2.673
AS     infinity    0.300
L5S1    11.288     0.865     1.69680    55.45
L5S2    -6.464     0.100
L6S1     4.451     1.940     1.72916    54.67
L6S2    -3.814     0.010
L7S1    -3.814     0.500     1.92286    20.88
L7S2     4.321     0.663
L8S1*    3.098     1.903     1.49710    81.55
L8S2*   -7.361     0.484
CGS1   infinity    0.612     1.51680    64.19
CGS2   infinity    0.524
【００６９】
実施例７のレンズ面の非球面係数を以下の表１４に示す。
〔表１４〕
面[L2S1]
R=42.786, K=0.000, A4=2.80017E-02, A6=-5.64278E-03, 
A8=6.42235E-04, A10=-4.28800E-05, A12=1.28169E-06, 
A14=6.99513E-09, A16=-8.85275E-10
面[L2S2]
R=3.017, K=0.000, A4=3.34844E-02, A6=-2.34471E-04, 
A8=-1.12293E-03, A10=-1.68993E-04, A12=1.81232E-04, 
A14=-3.59662E-05, A16=2.34020E-06
面[L8S1]
R=3.098, K=-4.187, A4=1.10580E-02, A6=-1.02527E-03, 
A8=3.13801E-05, A10=1.03198E-05, A12=-1.63689E-06, 
A14=-8.86010E-08, A16=1.03823E-08
面[L8S2]
R=-7.361, K=-50.000, A4=-4.12585E-03, A6=3.63400E-03, 
A8=-8.89534E-04, A10=1.00623E-04, A12=-7.25380E-06
A14=-6.14689E-08, A16=3.90055E-08
【００７０】
図２０は、実施例７の撮像光学系１７の断面図である。撮像光学系１７は、物体側に凸で負メニスカスの第１レンズＬ１と、物体側に凸で負メニスカスの第２レンズＬ２と、像側に凸で負の第３レンズＬ３と、両凸で正の第４レンズＬ４と、両凸で正の第５レンズＬ５と、両凸で正の第６レンズＬ６と、両凹で負の第７レンズＬ７と、両凸で正の第８レンズＬ８とを備える。第４レンズＬ４と第５レンズＬ５との間には、開口絞りＡＳが配置されている。なお、第８レンズＬ８の像側には、フィルター等である平行平板Ｆを介して撮像面Ｉが配置されている。
【００７１】
図２１（Ａ）及び２１（Ｂ）は、実施例７の撮像光学系１７の縦収差（球面収差、非点収差）を示し、図２２（Ａ）〜２２（Ｄ）は、実施例７の撮像光学系１７の横収差を示している。
【００７２】
以下の表１５は、参考のため、各条件式（１）及び（２）に対応する各実施例１〜７の値をまとめたものである。
〔表１５〕
2018081240.tif 000004
【００７３】
以上、実施形態に係る撮像光学系について説明したが、本発明に係る撮像光学系は、上記例示のものには限られない。例えば、上記実施形態において、第１〜第８レンズＬ１〜Ｌ８の間、又はその像側若しくは物体側には、実質的に屈折力を有しないレンズ等を追加することができる。
【符号の説明】
【００７４】
ＡＸ…光軸、  Ｆ…平行平板、  Ｇ１…前群、  Ｇ２…後群、  Ｉ…撮像面、  Ｌ１-Ｌ８…レンズ、  ＯＰ…開口、  １０…撮像光学系、  １０…撮像光学系、  １１〜１７…撮像光学系、  ３０…カメラモジュール、  ４１…ホルダー、  ５０…センサー部、  ５１…固体撮像素子、  ５１ａ…光電変換部、  ５３…基板、  ６０…処理部、  ６１…駆動部、  ６２…入力部、  ６３…記憶部、  ６４…表示部、  ６８…制御部、  １００…撮像装置
【図１】
2018081240.tif 000005
【図２】
2018081240.tif 000006
【図３】
2018081240.tif 000007
【図４】
2018081240.tif 000008
【図５】
2018081240.tif 000009
【図６】
2018081240.tif 000010
【図７】
2018081240.tif 000011
【図８】
2018081240.tif 000012
【図９】
2018081240.tif 000013
【図１０】
2018081240.tif 000014
【図１１】
2018081240.tif 000015
【図１２】
2018081240.tif 000016
【図１３】
2018081240.tif 000017
【図１４】
2018081240.tif 000018
【図１５】
2018081240.tif 000019
【図１６】
2018081240.tif 000020
【図１７】
2018081240.tif 000021
【図１８】
2018081240.tif 000022
【図１９】
2018081240.tif 000023
【図２０】
2018081240.tif 000024
【図２１】
2018081240.tif 000025
【図２２】
2018081240.tif 000026